(57)【要約】【課題】  美しい表示を行なうことができる写真撮影装置を提供する。【解決手段】  一眼レフカメラのファインダにＣＣＤカメラを取付けてファインダの画像を撮影すると、画像の周囲に黒い枠ができる（図Ａ）。コンピュータ装置は、リアルタイムに得られるファインダ越しの画像から黒く写った部分をトリミングし（図Ｂ）、それを拡大または縮小することでライブモニタの表示に適したサイズにリサイズする。そのようにして加工された画像が、ライブモニタに表示される。【選択図】        図５
2006227722.tif 000002
【特許請求の範囲】
【請求項１】
ファインダを備えた、被写体を撮影するためのカメラと、
前記カメラの前記ファインダからの光を受光するデジタル撮像素子と、
前記デジタル撮像素子により取得された映像のうち、前記被写体を前記ファインダを介して取得したことにより映像に写り込んだ、前記カメラが撮影する画像以外の部分を加工する加工手段と、
前記加工手段により加工された映像を表示する表示手段とを備えた、写真撮影装置。
【請求項２】
前記カメラは、一眼レフカメラであり、
前記加工手段は、映像の周囲に写り込んだカメラ内部の映像を加工する、請求項１に記載の写真撮影装置。
【請求項３】
前記加工手段は、映像内に写り込んだ、ピント合わせのための目印や撮影範囲を示すフレームの映像を加工する、請求項１に記載の写真撮影装置。
【請求項４】
対価を受付ける対価受付手段と、
前記対価受付手段より投入された対価を検出する対価検出手段と、
被写体を撮影する撮影手段と、
前記撮影時に前記被写体を照明する照明手段と、
前記撮影された画像に対する編集入力を行なう編集手段と、
前記編集された画像を出力する出力手段とを備え、
前記撮影手段は一眼レフカメラと、前記一眼レフカメラにより撮影される被写体の姿を写すミラーとを含む、写真自動販売機。
【請求項５】
対価を受付ける対価受付手段と、
前記対価受付手段より投入された対価を検出する対価検出手段と、
被写体を撮影する撮影手段と、
前記撮影時に前記被写体を照明する照明手段と、
前記撮影された画像に対する編集入力を行なう編集手段と、
前記編集された画像を出力する出力手段とを備え、
前記撮影手段は一眼レフカメラと、前記一眼レフカメラの近傍に設けられるデジタル撮像素子とを含み、
前記デジタル撮像素子により取得された映像を表示する表示手段を備えた、写真自動販売機。
【発明の詳細な説明】
【技術分野】
【０００１】
この発明は、写真撮影装置および写真自動販売機に関し、特に美しい仕上がりの写真を提供することのできる写真撮影装置および写真自動販売機に関する。
【背景技術】
【０００２】
近年、ゲームセンター等の遊戯を提供する店舗において、写真を撮影してシールプリント等にする写真自動販売機が数多く設置されている。このような写真自動販売機には、一般に利用者である被写体をカメラで撮影し、その撮影画像をタブレットディスプレイなどに表示して付属のタッチペンで文字や図形などを入力する、いわゆる落書きやお絵描きといわれている編集機能があるものが一般的になっている。そして、このような編集入力された画像は撮影画像と合成され、その合成画像がプリンタで印刷されて利用者に提供される。
【０００３】
写真撮影装置の技術に関し、以下の特許文献１は、一眼レフデジタルカメラのファインダー画像を取出して表示する技術を開示している。
【０００４】
特許文献２は、写真撮影システムに一眼レフカメラを用いることを開示している。
【０００５】
特許文献３は、写真自販機に自分の姿を確認させるミラーを設ける技術を開示している。
【特許文献１】特開２００１−３１３８４９号公報
【特許文献２】特開２００３−２０３２７３号公報
【特許文献３】特開２００１−２９６６００号公報
【発明の開示】
【発明が解決しようとする課題】
【０００６】
特許文献１のようにカメラのファインダーの画像を取出して表示しようとしても、ファインダー内部（カメラの内部）の無駄な画像が写り込むため、美しい表示ができないという問題がある。
【０００７】
この発明は上記問題点を解決するためになされたものであり、美しい表示を行なうことができる写真撮影装置、および写真自動販売機を提供することを目的としている。
【課題を解決するための手段】
【０００８】
上記目的を達成するためこの発明のある局面に従うと、写真撮影装置は、ファインダを備えた、被写体を撮影するためのカメラと、カメラのファインダからの光を受光するデジタル撮像素子と、デジタル撮像素子により取得された映像のうち、被写体をファインダを介して取得したことにより映像に写り込んだ、カメラが撮影する画像以外の部分を加工する加工手段と、加工手段により加工された映像を表示する表示手段とを備える。
【０００９】
好ましくはカメラは、一眼レフカメラであり、加工手段は、映像の周囲に写り込んだカメラ内部の映像を加工する。
【００１０】
好ましくは加工手段は、映像内に写り込んだ、ピント合わせのための目印や撮影範囲を示すフレームの映像を加工する。
【００１１】
この発明の他の局面に従うと写真自動販売機は、対価を受付ける対価受付手段と、対価受付手段より投入された対価を検出する対価検出手段と、被写体を撮影する撮影手段と、撮影時に被写体を照明する照明手段と、撮影された画像に対する編集入力を行なう編集手段と、編集された画像を出力する出力手段とを備え、撮影手段は一眼レフカメラと、一眼レフカメラにより撮影される被写体の姿を写すミラーとを含む。
【００１２】
この発明のさらに他の局面に従うと写真自動販売機は、対価を受付ける対価受付手段と、対価受付手段より投入された対価を検出する対価検出手段と、被写体を撮影する撮影手段と、撮影時に被写体を照明する照明手段と、撮影された画像に対する編集入力を行なう編集手段と、編集された画像を出力する出力手段とを備え、撮影手段は一眼レフカメラと、一眼レフカメラの近傍に設けられるデジタル撮像素子とを含み、デジタル撮像素子により取得された映像を表示する表示手段を備える。
【発明の効果】
【００１３】
これらの発明に従うと、写真撮影装置においては被写体をファインダを介して取得したことにより映像に写り込んだ、カメラが撮影する画像以外の部分を加工することができるため、美しい表示を行なうことができる写真撮影装置を提供することができる。
【００１４】
また写真自動販売機においては、被写体の姿を写すことができるため、ユーザの利便性を向上させることができる。
【発明を実施するための最良の形態】
【００１５】
［第１の実施の形態］
図１は、本発明の第１の実施の形態における写真自動販売機の外観の具体例を示す図である。
【００１６】
写真自動販売機は、筐体を含んで構成され、筐体に対して大きくわけて、撮影操作を行なう側の面と、撮影後の画像にいわゆるお絵描きや落書きと言われる、タッチペンによる画像やテキストなどの入力である編集操作を行なう側の面とを対にして備えている。図１は、撮影操作を行なう側の面を斜めから見た図である。
【００１７】
筐体は、コンピュータ装置１０１ａ，１０１ｂ、プリンタ１２、および制御部１０２（基板）などの各種機器類を収める。これらの詳細は、後に図３を用いて説明される。
【００１８】
また、写真自動販売機には、筐体の他に、筐体の撮影操作を行なう側の面と共に撮影空間を形成するパネルとフレーム材とが含まれる。これらで形成される撮影空間内には、被写体であるユーザの背後に、撮影時の背景を形成する背景部５が配備される。背景部５については後に詳細を説明する。
【００１９】
かかる写真自動販売機を用いる際、被写体であるユーザは筐体の撮影操作側の撮影空間に入り、筐体に相対する向きで撮影を行なう。そして、撮影の後、編集操作側の編集空間に入り、撮影した画像に、いわゆるお絵描きと呼ばれるスタンプ画像やテキストなどをペン入力する操作を筐体に相対する向きで行なう。なお、以降の説明において、便宜上、筐体の撮影操作側の面を正面とし、編集操作側の面を背面とする。
【００２０】
図１を参照して、筐体の正面には、被写体を撮像するためのカメラ２１と、カメラ２１から撮像される映像をリアルタイムで表示してユーザに撮像される映像を視覚確認させるためのライブモニタ２４と、ＢＧＭ、操作方法などのアナウンスを出力するスピーカ２３（不図示）と、デモ画面や撮影中の操作手順などを表示し、ユーザからの入力を受付けるタッチパネルディスプレイ２２と、対価である硬貨を投入するためのコイン投入口と、前面のメンテナンスなどを行なうためのフロントドアとが備えられる。
【００２１】
カメラ２１は、一般的にデジタルカメラが用いられる。一般的なデジタルカメラで設定できる項目（たとえばシャッタースピード、絞り値、露出補正、ホワイトバランスなど）の変更や、撮影タイミングは、コンピュータ装置１０１ａから指示される。
【００２２】
ここでは、カメラ２１は、ファインダーを備えた一眼レフデジタルカメラである。デジタルカメラのファインダ越しの光が、ＣＣＤカメラなどのデジタル撮像デバイスで捕らえられ、その画像が加工された後、ライブモニタ２４に映し出される。これにより、ユーザはリアルタイムで自己の姿を確認することができる。
【００２３】
カメラ２１の周囲には、蛍光灯やフラッシュなどを内蔵し、被写体の照明を行なうための照明ボックス（前面照明）１８ａ〜１８ｄが備えられている。
【００２４】
さらに、筐体には、筐体の内部の熱を逃がすためのファンや、外部装置への画像の配信、リモートメンテナンスなどの、外部装置との通信を行なうときにケーブルを差込むためのＬＡＮ(Local Area Network)ケーブル差込口などが備えられていることが好ましい。
【００２５】
また、撮影空間内に配備される背景部５には、モータなどにより駆動される、様々な色や柄の背景カーテン１ａ，１ｂ，２ａ，２ｂが含まれ、それらを用いて撮影時の背景を形成する。背景カーテンは、巻き上げ式、引き出し式など、ユーザの手動操作によりセットされてもよいし、タッチパネルディスプレイ２２を操作することで自動的にセットされてもよい。
【００２６】
さらに、ユーザが撮影空間内に出入りできるように本装置の側面は開放されているが、利用者のプライバシーに配慮するため、または外部光を遮断するためなどの目的で、周囲と撮影空間とを区分するサイドカーテン（不図示）が備えらえてもよい。
【００２７】
また、本装置の側面には、ユーザに側面から光を照射する側面照明が備えられており、天井部分には、ユーザに上部から光を照射する天井照明（１）１８ｆ、および天井照明（２）１８ｇが設けられている。
【００２８】
また、プリント取出口９付近には、印刷ＬＥＤ（Light Emitting Diode）１０および印刷エラーＬＥＤ１１が備えられる。それらが点灯あるいは点滅することによって、印刷中、あるいは印刷中に用紙切れ、インク切れ、用紙詰り、メカニカルエラーなどのエラーが発生していることが通知される。
【００２９】
図２に、かかる写真自動販売機を背面である編集操作側から見た斜視図を示す。
【００３０】
図２を参照して、筐体の背面には、撮影により得られた画像を表示して画像の編集を受付ける１つまたは複数のタブレットディスプレイ１３と、画像入力を行なうための１つまたは複数のタッチペン１４と、ユーザに対し音楽や操作方法の説明などを音声で出力するスピーカ（不図示）とが備えられる。
【００３１】
次に、かかる写真自動販売機の機能構成の具体例を図３に示す。
【００３２】
図３を参照して、本実施の形態にかかる写真自動販売機は、本写真自動販売機を動作させるための、主に撮影処理などを実行するコンピュータ装置１０１ａと、主に編集処理などを実行するコンピュータ装置１０１ｂと（これらを代表してコンピュータ装置１０１という）、基板から構成され、動作中のコンピュータ装置１０１からの指示を受付けて、接続されている各種装置を制御する制御部１０２とを備える。
【００３３】
コンピュータ装置１０１ａは、カメラ２１、ライブモニタ２４、タッチパネルディスプレイ２２、筐体１の内部にあるプリンタ１２、および制御部１０２と接続され、それらを制御する。コンピュータ装置１０１ｂは、編集部４０１に備えられるタブレットディスプレイ１３、タッチペン１４、外部と通信するための通信端末１１０、および筐体の内部にある制御部１０２と接続され、それらを制御する。さらに、コンピュータ装置１０１ａとコンピュータ装置１０１ｂとは互いに接続され、画像データや情報データなどの授受をピアツーピアで行なう。
【００３４】
なお、各コンピュータ装置１０１ａ，１０１ｂに各々接続される構成要素はこのような形態に限定されず、機能ごとに分かれていたり、位置ごとに分かれていたりしてもよい。さらに、コンピュータ装置１０１は本実施形態のような２台で構成されていなくてもよく、１台で構成されてもよいし、２台以上で構成されてもよい。
【００３５】
コンピュータ装置１０１は、コンピュータ装置１０１の制御を行なう演算装置であるＣＰＵ（Central Processing Unit）と、装置を動作させるためのプログラムおよびプログ
ラムで必要なグラフィックデータ、音声データ、撮影された画像や撮影画像に対して入力した編集画像その他の各種画像などを記憶する記憶部と、プログラムの一時的な作業領域ともなるメモリと、カメラ２１、プリンタ１２、タブレットディスプレイ１３などの周辺機器を制御するためのソフトウェアであるドライバ（不図示）とを含む。また、コンピュータ装置１０１はＬＡＮケーブルを介して外部機器と接続された場合に通信を行なう通信部を備えていてもよい。
【００３６】
プリンタ１２は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、本実施の形態においてはプリンタ１２でシールが印刷されるものとして説明を行なうが、印刷媒体はシールに限定されず、他の印刷媒体であっても同様の処理が実行される。プリンタ１２は、上述の用紙切れなどの状態をコンピュータ装置１０１ａに通知する。コンピュータ装置１０１ａは
、その状態に応じて制御部１０２に制御信号を送信する。
【００３７】
通信端末１１０は、本写真自動販売機で使用するために外部で用意された画像を外部装置から受信したり、本写真自動販売機で作成される画像を外部の端末やサーバなどに送信したりするための無線通信可能な端末であって、ＰＨＳ（Personal Handyphone System）などが用いられる。ＰＨＳはカード型のものを用いてもよい。また、外部の端末やサーバなどとインターネット網などのネットワーク網を通じて送受信可能なものであれば、通信端末１１０はＰＨＳに限定されない。
【００３８】
電源スイッチ３１が押され、本写真自動販売機に電源プラグより電源が投入されると、上記プログラムが起動されて、コンピュータ装置１０１ａは、接続されるカメラ２１のシャッタタイミングや、ライブモニタ２４での表示や、タッチパネルディスプレイ２２での表示やプリンタ１２での出力を制御する。コンピュータ装置１０１ｂは、接続されるタブレットディスプレイ１３での表示を制御する。
【００３９】
コンピュータ装置１０１ａは、上記プログラムの実行や撮影部のタッチパネルディスプレイ２２から受信した、ユーザの指などでタッチされることによって行なわれる入力操作にしたがった指示信号に基づいて、制御部１０２に対して制御信号を送信する。
【００４０】
また、コンピュータ装置１０１ａは、カメラ２１で撮影された画像を受信し該画像データを記憶部へ記憶する。
【００４１】
コンピュータ装置１０１ｂは、上記プログラムの実行や、編集部４０１のタブレットディスプレイ１３から受信した、タッチペン１４などでタッチされることによって行なわれる入力操作にしたがった指示信号に基づいて、制御部１０２に対して制御信号を送信する。
【００４２】
また、コンピュータ装置１０１ｂは、携帯端末やＰＣなどの外部端末から送信されてくる画像データ等を、通信端末１１０を介して受信する。これとは逆に、コンピュータ装置１０１ｂはコンピュータ装置１０１ｂに記憶されている画像データ等を通信端末１１０から所定のネットワークおよびサーバを介して携帯端末やＰＣなどの外部端末へ送信することもできる。
【００４３】
また、本写真自動販売機は、電源を必要とするコンピュータ装置１０１、照明装置１８、制御部１０２などの電源系統を制御する電源制御部１０３を備え、外部からそれらの装置に対する電源の電圧を安定させるよう制御する。さらに、そのような電源の投入および切断は、電源スイッチ３１を押すことで行なわれる。しかし、電源切断によりコンピュータ装置１０１で動作しているプログラムを強制的に終了させることは、動作を不安定にさせる原因となる。そのため、電源が落とされても、しばらくはＵＰＳ（Uninterrupted Power Supply）１０４が電源をバックアップし、コンピュータ装置１０１に停電信号を送信する。その間に、コンピュータ装置１０１はプログラムの終了の手続を行ない、プログラムを正常に終了させる。一方、コンピュータ装置１０１を正規の手順で終了した場合は、その旨の信号がＵＰＳ１０４に送信される。
【００４４】
制御部１０２は、コンピュータ装置１０１および電源制御部１０３の他に、レリーズスイッチ２０、フラッシュ制御部１０６、スピーカ２３、サービスパネル１０５、コイン制御部１０７、印刷ランプ１０、エラーランプ１１、および背景部５に接続される。
【００４５】
レリーズスイッチ２０は、ユーザが撮影する時にユーザ所望の撮影するタイミングを指示するためのカメラ２１のシャッタ動作を遠隔操作するスイッチである。ユーザが、レリ
ーズスイッチ２０を押下すると制御部１０２を介して該制御信号がコンピュータ装置１０１ａに送信され、さらにコンピュータ装置１０１ａから該制御信号がカメラ２１に送信されることによって、カメラ２１は撮影を行なう。
【００４６】
また、シャッタ動作を遠隔操作するものであれば、フットスイッチ、専用ボタンなどを備えても良い。
【００４７】
フラッシュ制御部１０６は、カメラ２１に接続され、カメラ２１におけるシャッタタイミングに応じた同期信号を取得する。そして、カメラ２１のシャッタタイミングに同期させて、フラッシュを発光させるように制御する。なお、フラッシュ制御部１０６は制御部１０２と接続され、発光させるフラッシュ２９の選定や、フラッシュ２９の発光度の設定がなされる。照明装置１８も同様に制御部１０２と接続され、その照明度合いなどの設定がなされる。
【００４８】
スピーカ２３は、コンピュータ装置１０１からの指示に従って、制御部１０２を介して指示信号を受信し、写真自動販売機のプレイにおける操作などの案内や、撮影時のＢＧＭなどを出力する。なお、スピーカ２３から出力する音声のボリュームを調整する音量調整つまみは、サービスパネル１０５に備えられる。
【００４９】
サービスパネル１０５は、投入されたコインの枚数をカウントするコインカウンタ、印刷されたプリントの枚数をカウントするプリントカウンタ、スピーカ２３から出力する音声のボリュームを調整する音量調整つまみ、テストモードを行なうためのテストボタン、およびコインを投入しなくても装置が利用できるようにするためのサービスボタン等を備えるパネルであって、当該写真自動販売機の設置者が各種設定やメンテナンスの操作を行なう際に用いられる。サービスパネル１０５は、サービスボタンの操作などの制御操作が行なわれると、その操作にしたがった制御信号を制御部１０２に対して送信する。
【００５０】
制御部１０２は、コンピュータ装置１０１から受信した制御信号（指示コマンドなど）にしたがって、サービスパネル１０５に対して制御信号を送信する。サービスパネル１０５は、該制御信号に従って、コインカウンタやプリントカウンタを動作させる（たとえばカウンタを１インクリメントする）。
【００５１】
コイン制御部１０７は、コイン投入口２６に投入されたコインの正当性を検出し、制御部１０２にコインが投入されたことを示す検出信号を送信する。
【００５２】
制御部１０２はコンピュータ装置１０１から受信した制御信号（指示コマンドなど）にしたがって、コイン制御部１０７に対して制御信号を送信する。コイン制御部１０７は、該制御信号にしたがって、コインが投入されないようにコイン投入口をブロックすることができる。このことで、たとえば、プレイ中にコイン投入を禁止することができる。
【００５３】
さらに、制御部１０２は、コンピュータ装置１０１ａから、プリンタ１２の状態に応じた制御信号を受信し、該制御信号にしたがって、印刷中ランプ１０、およびエラーランプ１１を制御する。かかる制御信号によって、印刷中ランプ１０、およびエラーランプ１１が点灯または点滅する。
【００５４】
また、制御部１０２は、コンピュータ装置１０１ａから、タッチパネルディスプレイ２２に対してユーザが所望の背景を選択する入力操作にしたがった指示信号を受信し、該指示信号にしたがって背景部５の背景カーテン（ロールスクリーン）の巻取装置を駆動するモータの動作を制御する。このようにモータの動作を制御することによって、ユーザが選択した背景画像が施されたロールスクリーンが背景部５にセットされる。
【００５５】
なお、言うまでもなく、写真自動販売機の形態は図１〜図３に示される具体例に限定されるものではない。すなわち、図１〜図３に記載されない他の機能が備えられていてもよいし、図１〜図３に記載されている機能の必ずしもすべてが備えられていなくても構わない。たとえば、プリンタ１２は写真自動販売機本体に含まれていなくてもよく、その場合、写真自動販売機は、ＬＡＮ等の専用回線や無線通信等を介して印刷制御信号をプリンタ１２に出力するものとする。
【００５６】
図４は、ライブ映像を撮像する機構を説明するための図である。
【００５７】
図を参照して、カメラ２１のファインダ部分には、ファインダからの光を受光する小型のＣＣＤカメラ３１が固定されている。コンピュータ装置１０１ａは、ＣＣＤカメラ３１からの映像を加工する。より具体的にはコンピュータ装置１０１ａは、撮影時にカメラ２１によって撮影される画像以外の部分を、ＣＣＤカメラ３１が撮影した映像からトリミングなどすることで、ファインダ越しに得られる画像と、撮影時に得られる画像とを一致させる。
【００５８】
カメラ２１のレンズＬから入射した光は、ミラー２１ａで反射し、プリズム２１ｂを介してＣＣＤカメラ３１に入射する。ＣＣＤカメラ３１で得られたデジタルの電気信号は、コンピュータ装置１０１ａに入力される。
【００５９】
撮影時には、ミラー２１ａが移動することにより、レンズＬから入射した光が図示しないＣＣＤセンサに入射されることで、撮影画像が取得される。
【００６０】
図５は、コンピュータ装置１０１ａが行なうファインダ越しに得られた画像の加工方法を示す図である。
【００６１】
図５（Ａ）に示されるように、ファインダに直接ＣＣＤカメラ３１を取付けて画像を撮影すると、画像の周囲にカメラ（ファインダ）内部が写り込み、黒い枠ができることとなる。
【００６２】
そこで、コンピュータ装置１０１ａは、リアルタイムに得られるファインダ越しの画像から黒く写った部分をトリミングすることで図５（Ｂ）に示される映像を得て、それを拡大または縮小することでライブモニタ２４の表示に適したサイズにリサイズする。そのようにして加工された画像が、ライブモニタ２４に表示される。
【００６３】
また、トリミングを行なうのではなく、黒い部分を画像を装飾するためのフレーム画像で置換えてライブモニタ２４に表示することとしてもよい。
【００６４】
また、ファインダ内の画像に、ピント合わせのための目印（オートフォーカスが行なわれるエリアを示すマーク）や、撮影範囲を示すフレームや、シャッター速度・絞り値・バッテリー残量などを示すマークがある場合には、それらも画像処理を行なうことによって削除した後にライブモニタ２４に表示させるようにしてもよい。また、一眼レフカメラでの撮影の雰囲気を出すため、ファインダ内の表示の一部は残すようにしても良い。
【００６５】
一眼レフデジタルカメラは、コンパクトデジタルカメラとは異なり、撮影時に用いるＣＣＤセンサに撮影対象の映像が常に入ってくるわけではなく、シャッターが押された一瞬だけしか撮影画像を撮影時に用いるＣＣＤセンサに入射させることができない。本実施の形態においては、上記の構成により撮影時に用いるＣＣＤセンサとは異なるＣＣＤセンサをカメラのファインダ部分に固定することにより、一眼レフカメラを用いながらもリアルタイムなライブ映像を表示することができ、ユーザは自分の表情やポーズを確認しながら撮影を行なうことができるという効果がある。
【００６６】
また、一眼レフカメラを用いることで撮影画像の画質を向上させることができる。さらに、レンズを交換して撮影ができるという効果がある。
【００６７】
［第２の実施の形態］
本発明の第２の実施の形態における写真自動販売機の基本的な構成は第１の実施の形態におけるそれと同じであるため、ここでの説明を繰返さない。
【００６８】
図６は、本発明の第２の実施の形態における写真自動販売機のカメラ２１の付近の具体例を示す図である。
【００６９】
図に示されるように、本実施の形態においてもカメラ２１として一眼レフデジタルカメラが用いられている。カメラ２１の撮影方向にある被写体の姿を写すように、カメラ２１の周囲を取り囲むミラー３３が設けられている。
【００７０】
本実施の形態によると、第１の実施の形態のようにファインダ付近にＣＣＤカメラを設けなくても、ユーザは撮影時にミラー３３により表情やポーズを確認することができるという効果がある。
【００７１】
なお、図６のようにカメラを囲むようにミラーを配置しなくとも、カメラのレンズの近傍にミラーを設置するのであれば、ユーザに自己の姿をリアルタイムに確認させることができるという効果がある。またミラーとして湾曲したものを用いて、ミラーのサイズよりも広い領域が写るようにしてもよい。
【００７２】
［第３の実施の形態］
図７は、本発明の第３の実施の形態における写真自動販売機の外観の具体例を示す図である。
【００７３】
本実施の形態における写真自動販売機は、第１の実施の形態と比較して、一眼レフカメラ２１の近傍にデジタル撮像素子であるＣＣＤカメラ３１が設けられている。
【００７４】
図８は、カメラ２１とＣＣＤカメラ３１との関係を示す図である。
【００７５】
図を参照してＣＣＤカメラ３１は、カメラ２１が撮像する範囲とほぼ等しい範囲を撮影できるように設置されている。ＣＣＤカメラ３１により撮影された画像は、リアルタイムにライブモニタ２４に送られて表示される。これにより、ユーザＵはカメラ２１により撮影される画像とほぼ等しい画像をライブモニタ２４により確認することができ、表情やポーズを確認することができるという効果がある。
【００７６】
なお、ＣＣＤカメラ３１の撮影範囲とカメラ３１の撮影範囲とを可能な限り一致させるために、図９に示されるように、ＣＣＤカメラ３１はカメラ２１のレンズＬに可能な限り近づけることが望ましい。図９に示されるように、ＣＣＤカメラ３１をレンズＬの上に載置するよう装置を構成するなどである。
【００７７】
［その他］
なお、カメラ２１として一眼レフカメラを採用した場合、図１０に示されるようにボディ部ＢからレンズＬを取外してメンテナンスを行なったり、レンズＬを異なる種類のものに変更することが可能である。従って一眼レフカメラを採用した場合においては、カメラのボディ部Ｂ内に埃やごみが入り込みやすいという問題がある。
【００７８】
このような問題を解決するために、図１１に示されるように、カメラ２１はケース３９に収納し、透明なドア３７を介して被写体を撮影するように構成することが望ましい。また、ドア３７の開閉をロックする鍵や、ドア３７が開けられた時に警報を発する機構を付与すると、カメラの盗難を防止することができる。
【００７９】
さらに、レンズＬの周囲を囲む蛇腹部材３５を取り付けると、ボディ部Ｂ内に埃やごみが入り込むことをより防ぐことができるようになる。この場合、蛇腹部材３５が伸縮することにより、各種のレンズに対応することが可能である。
【００８０】
さらに、図１２に示されるように、ボディ部Ｂのレンズ取付部付近の埃やごみを吸引する吸引機構４３，４４を設けることで、カメラが取付けられている部分の掃除を行なうようにしてもよい。図１２（Ａ）は図１１に対応する図であり、図１２（Ｂ）はカメラ２１を透明なドア３７を介して正面から見た状態を示す図である（符号４１は、ドア３７の開閉をロックする鍵を示す）。レンズＬが取外された時に自動的に吸引機構４３，４４を動作させることも可能である。
【００８１】
また、上記の実施の形態ではＣＣＤカメラや鏡を用いることで撮影される画像をユーザに見せることとしたが、図１３に示されるようにカメラのファインダからの光をミラー５１やプリズム５３で反射させ、それをスクリーン５５に投影することでユーザに示してもよい。このような機構を採用することで、画像の処理が不要で、タイムラグの無い画像をユーザに見せることができる。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８３】
【図１】本発明の第１の実施の形態における写真自動販売機の外観の具体例を示す図である。
【図２】写真自動販売機を背面である編集操作側から見た斜視図である。
【図３】写真自動販売機の機能構成の具体例を示す図である。
【図４】ライブ映像を撮像する機構を説明するための図である。
【図５】コンピュータ装置１０１ａが行なうファインダ越しに得られた画像の加工方法を示す図である。
【図６】本発明の第２の実施の形態における写真自動販売機のカメラ２１の付近の具体例を示す図である。
【図７】本発明の第３の実施の形態における写真自動販売機の外観の具体例を示す図である。
【図８】カメラ２１とＣＣＤカメラ３１との関係を示す図である。
【図９】カメラ２１とＣＣＤカメラ３１との関係を示す図である。
【図１０】ボディ部ＢからレンズＬを取外した状態を示す図である。
【図１１】カメラ２１をケース３９に収納した状態を示す図である。
【図１２】ボディ部Ｂのレンズ取付部付近の埃やごみを吸引する吸引機構４３，４４を示す図である。
【図１３】カメラのファインダからの光を反射させる機構を示す図である。
【符号の説明】
【００８４】
２１  カメラ、２２  タッチパネルディスプレイ、２４  ライブモニタ、３１  ＣＣＤカメラ、３３  ミラー、１０１ａ  コンピュータ装置。
【図１】
2006227722.tif 000003
【図２】
2006227722.tif 000004
【図３】
2006227722.tif 000005
【図４】
2006227722.tif 000006
【図５】
2006227722.tif 000007
【図６】
2006227722.tif 000008
【図７】
2006227722.tif 000009
【図８】
2006227722.tif 000010
【図９】
2006227722.tif 000011
【図１０】
2006227722.tif 000012
【図１１】
2006227722.tif 000013
【図１２】
2006227722.tif 000014
【図１３】
2006227722.tif 000015